【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
マイクロ流体デバイスであって、
ａ．ｚ個の分岐チャネルのセットと流体結合している第１のチャネルであって、前記ｚ個の分岐チャネルのセットは、移動ユニットを第１の順序で前記第１のチャネルから受け入れるように構成されている、第１のチャネルと、
ｂ．前記ｚ個の分岐チャネルのセットと流体結合している第２のチャネルであって、前記第２のチャネルは、移動ユニットを第２の順序で前記ｚ個の分岐チャネルのセットから受け入れるように構成されている、第２のチャネルと
を含み、
前記第２の順序は、移動ユニットを前記第２の順序で配送するように構成されている前記ｚ個の分岐チャネルのセットのうちの特定の分岐チャネルを決定する、マイクロ流体デバイス。
【請求項２】
前記デバイスは、前記ｚ個の分岐チャネルの各々に移動ユニットを決定論的に分配し、随意に、そのような分配におけるエラーを修正するように構成されている、請求項１に記載のマイクロ流体デバイス。
【請求項３】
ａ）前記第１の順序または前記第２の順序は、制御可能であり、または、
ｂ）ｚは、ｉ）２〜５０の間にあるか、ｉｉ）少なくとも、２、３、４、５、６、７、８、９、１０、２０、３０もしくは５０であり、かつ／または、ｚは、５０、３０、２０、１０、９、８、７、６、５、４、３もしくは２未満であり、または、
ｃ）前記第１のチャネルおよび前記第２のチャネルは、同一であり、または、
ｄ）前記マイクロ流体デバイスは、前記第１のチャネルと前記ｚ個の分岐チャネルのセットとの間のディストリビュータをさらに含み、または、
ｅ）前記マイクロ流体デバイスは、ｋ個の移動ユニットをさらに含み、随意に、ｉ）ｋは、２〜５００の間もしくは２〜５００００００の間にあるか、ｉｉ）ｋは、少なくとも、２、３、４、５、６、７、８、９、１０、２０、３０、５０、１００、５００、１０００、１００００、５００００、１０００００、５０００００、１００００００もしくは５００００００であり、かつ／または、ｋは、５００００００、１００００００、５０００００、１０００００、５００００、１００００、１０００、５００、１００、５０、３０、２０、１０、９、８、７、６、５、４、３もしくは２未満であり、または、
ｆ）前記マイクロ流体デバイスは、前記第１のチャネルまたは前記第２のチャネルと流体結合しているｙ個の分岐チャネルの第２のセットをさらに含み、前記ｙ個の分岐チャネルのセットは、移動ユニットを第３の順序で前記第１のチャネルまたは前記第２のチャネルから受け入れるように構成され、随意に、ｙは、ｉ）２〜５０の間にあるか、ｉｉ）少なくとも、２、３、４、５、６、７、８、９、１０、２０、３０もしくは５０であり、かつ／または、ｙは、５０、３０、２０、１０、９、８、７、６、５、４、３もしくは２未満である、請求項１または２に記載のマイクロ流体デバイス。
【請求項４】
ａ．コンピュータ可読媒体を含むコンピュータと、
ｂ．マイクロ流体デバイスと
を含むシステムであって、前記マイクロ流体デバイスは、
ｉ．ｚ個の分岐チャネルのセットと流体結合している第１のチャネルであって、前記ｚ個の分岐チャネルのセットは、移動ユニットを第１の順序で前記第１のチャネルから受け入れるように構成されている、第１のチャネルと、
ｉｉ．前記ｚ個の分岐チャネルのセットと流体結合している第２のチャネルであって、前記第２のチャネルは、移動ユニットを第２の順序で前記ｚ個の分岐チャネルのセットから受け入れるように構成されている、第２のチャネルと
を含み、前記第２の順序は、移動ユニットを前記第２の順序で配送するように構成されている前記ｚ個の分岐チャネルのセットのうち特定のチャネルを決定し、
前記コンピュータは、前記コンピュータ可読媒体に前記移動ユニットの位置と関連付けられたデータを繰り返し記録するように構成されている、システム。
【請求項５】
ａ）前記マイクロ流体デバイスは、前記第１のチャネルまたは前記第２のチャネルと流体結合しているｙ個の分岐チャネルの第２のセットを含み、前記ｙ個の分岐チャネルのセットは、移動ユニットを第３の順序で前記第１のチャネルまたは前記第２のチャネルから受け入れるように構成され、かつ／または、
ｂ）前記第１のチャネルおよび前記第２のチャネルは、同一であり、または、ｙは、ｉ）２〜５０の間にあるか、ｉｉ）少なくとも、２、３、４、５、６、７、８、９、１０、２０、３０もしくは５０であり、かつ／または、ｙは、５０、３０、２０、１０、９、８、７、６、５、４、３もしくは２未満である、請求項４に記載のシステム。
【請求項６】
マイクロ流体デバイス内の移動ユニットをルーティングする方法であって、
ａ．ｋ個の移動ユニットを第１の順序で前記マイクロ流体デバイスの第１のチャネルを通してルーティングすることと、
ｂ．前記ｋ個の移動ユニットの少なくともサブセットをｚ個の分岐チャネルに分配することと、
ｃ．前記ｋ個の移動ユニットの前記少なくともサブセットを第２の順序で第２のチャネル内にルーティングすることと
を含む方法。
【請求項７】
ａ）前記ｋ個の移動ユニットのそれぞれは、ｉ）前記マイクロ流体デバイス内部での移動ユニットの移動をトラッキングするように構成されている少なくとも１つの検出器からのユニットトラッキング情報またはｉｉ）前記第２の順序に随意に基づいて、前記ｚ個の分岐チャネルのうちの特定の１つを含むパスにマップ可能であり、または、
ｂ）ステップｂにおける前記ルーティングは、前記ｋ個の移動ユニットの少なくともサブセットに対して前記マイクロ流体デバイスを通して所定のユニットルーティングアルゴリズムに従って実行され、随意に、前記ユニットルーティングアルゴリズムは、前記マイクロ流体デバイスの少なくとも１つの分岐ポイントでのルーティング選択を含む、請求項６に記載の方法。
【請求項８】
ａ）ステップｃの前記ｋ個の移動ユニットの前記少なくともサブセットは、前記ｋ個の移動ユニットの全てを含み、または、
ｂ）ステップｂにおいて、少なくとも１つのユニットが第１の分岐チャネル端を通して第１の分岐チャネルにルーティングされ、ステップｃにおいて、前記少なくとも１つのユニットは、前記第１の分岐チャネルから出て、ｉ）前記第１の分岐チャネル端を通して、もしくは、ｉｉ）前記第１の分岐チャネル端とは異なる第２の分岐チャネル端を通してルーティングされ、または、
ｃ）前記第２のチャネルは、前記第１のチャネルと流体結合している、請求項６に記載の方法。
【請求項９】
ｉ）前記第１のチャネルおよび前記第２のチャネルは、同一であり、または、ｉｉ）ステップｂとステップｃとの間で、前記ｋ個の移動ユニットの少なくともサブセットの前記流れの向きが逆転されており、または、ｉｉｉ）前記移動ユニットは、ビーズ、ガラスビーズ、ポリマービーズ、液滴、セル、バブル、スラグおよび非混合性容積からなるグループから選択され、または、ｉｖ）前記ｋ個の移動ユニットに対する横断面変動係数が、１％〜２０％であるか、２％〜５％であるか、２０％、１９％、１８％、１７％、１６％、１５％、１４％、１３％、１２％、１１％、１０％、９％、８％、７％、６％、５％、４％、３％、２％もしくは１％未満である、請求項６に記載の方法。
【請求項１０】
前記方法は、
ａ）前記ｋ個の移動ユニットを前記第２のチャネルから前記第１のチャネルにルーティングすること、または、
ｂ）ステップａ〜ｃをｎ回繰り返すことであって、ｎは、２であるか、ｎは、２〜１０であるか、ｎは、１０〜１００であるか、ｎは、１００〜１０００であるか、ｎは、３、４、５、６、７、８、９、１０、１５、２０、３０、４０、５０、６０、７５、１００、１５０、２００、３００、４００、５００、７５０もしくは１，０００であるか、ｎは、少なくとも、２、３、４、５、６、７、８、９、１０、１５、２０、３０、４０、５０、６０、７５、１００、１５０、２００、３００、４００、５００、７５０もしくは１０００であり、随意に、ステップｂの少なくとも１の繰り返しにおいて、前記ｋ個の移動ユニットの少なくともサブセットは、前記ユニットがステップｂの少なくとも１の他の繰り返しにおいて分配される前記ｚ個の分岐チャネルのセットとは異なるｙ個の分岐チャネルのセットに分配される、こと、または、
ｃ）異なる試薬を前記ｚ個の分岐チャネルのそれぞれに配送することであって、随意に、前記試薬は、２'−デオキシヌクレオシドアミド亜リン酸を含み、かつ／または、少なくとも１つの移動ユニットをサイドチャネルに方向付けすることは、前記サイドチャネルにおける前記少なくとも１つの移動ユニットを前記第２のチャネルに方向付けすることを随意にさらに含む、こと
をさらに含む、請求項６に記載の方法。
【請求項１１】
前記マイクロ流体デバイスは、
ａ）前記ｋ個の移動ユニットの平均横断面のｘ倍の最大の横断面を有するｉ個のチャネルであって、ｉは、２〜１００００であり、ｘは、１．０５〜２．０であり、随意に、ｉは、２〜１００であるか、または、ｉは、１００〜１０００である、ｉ個のチャネル、または、
ｂ）前記ｋ個の移動ユニットの平均横断面のｘ倍以下の最大の横断面を有する少なくともｉ個のチャネルであって、随意に、ｉ）前記移動ユニットは、ビーズであるか、ｉｉ）ｘは、２、１．９、１．８、１．７、１．６、１．５、１．４、１．３、１．２、１．１もしくは１．０５であるか、ｉｉｉ）ｉは、２、３、４、５、１０、２０、５０、１００、１０００、５０００もしくは１００００である、少なくともｉ個のチャネル、または、
ｃ）２００マイクロメートル以下の最大の横断面を有する少なくともｊ個のチャネルであって、ｊは、２〜１００００であり、随意に、
ｉ）前記少なくともｊ個のチャネルの前記最大の横断面は、１０マイクロメートル以下であり、または、
ｉｉ）ｊは、２、３、４、５、１０、２０、５０、１００、５００、１０００、５０００もしくは１００００であり、または、
ｉｉｉ）少なくともｊ個のチャネルは、２００マイクロメートル以下の最大の横断面を有する、
少なくともｊ個のチャネル
を含む、請求項６に記載の方法。
【請求項１２】
前記第１の順序は、所定のものであり、かつ／または、前記第２の順序は、所定のものである、請求項６または１０に記載の方法。
【請求項１３】
ａ）ｚは、２〜１０であるか、１０〜１００であるか、１００〜１０００であり、または、ｚは、少なくとも、１、２、３、４、５、６、７、８、９、１０、２０、３０、５０もしくは１００であり、かつ／または、ｚは、１００、５０、３０、２０、１０、９、８、７、６、５、４、３もしくは２未満であり、または、
ｂ）前記ｚ個の分岐チャネルのそれぞれは、１つもしくは２つの端部のバルブまたはユニットストッパによっておおわれており、または、
ｃ）１つ以上の試薬チャネルが、試薬を前記ｚ個の分岐チャネルのそれぞれに配送するように構成され、随意に、前記１つ以上の前記試薬チャネルのうちの少なくとも１つからの試薬の配送は、バルブによって制御される、
請求項６に記載の方法。
【請求項１４】
ｋは、
ａ）２〜１００００００、もしくは、２〜５００００００、もしくは、２０〜１００、もしくは、１００〜１０００、もしくは、１００００〜１０００００、もしくは、１０００００〜１００００００、もしくは２〜５００の間にあり、または、
ｂ）少なくとも、２、３、４、５、６、７、８、９、１０、２０、３０、５０、１００、５００、１０００、１００００、５００００、１０００００、５０００００もしくは１００００００であり、かつ／または、ｋは、５００００００、１００００００、５０００００、１０００００、５００００、１００００、１０００、５００、１００、５０、３０または２０未満である、
請求項６に記載の方法。
【請求項１５】
少なくとも１つの移動ユニットは、ラベルを含み、前記少なくとも１つの移動ユニットの位置は、前記第１の順序または前記第２の順序で前記少なくとも１つのユニットのラベルを用いて検査され、随意に、前記少なくとも１つの移動ユニットは、少なくとも２つの移動ユニットを含み、前記少なくとも２つの移動ユニットの前記ラベルは、ユニークではない、請求項６、１０、または１２に記載の方法。
【手続補正２】
【補正対象書類名】明細書
【補正対象項目名】００２６
【補正方法】変更
【補正の内容】
【００２６】
第２２の態様において、本明細書において記載されている方法および構成は、トラッキングの方法に関し、方法は、ａ）第１のマイクロ流体チャネルおよび第１のマイクロ流体チャネルと流体接続している第２のマイクロ流体チャネルを含む、マイクロ流体デバイスを提供することと、ｂ）ｋ個の移動ユニットを、順序付けされたフローで第１のマイクロ流体チャネルを通して第２のマイクロ流体チャネルにルーティングすることとを含む。第１のマイクロ流体チャネルおよび第２のマイクロ流体チャネルは、同一でもよい。第１のマイクロ流体チャネルおよび第２のマイクロ流体チャネルは、接合管、ユニットスペーサ、ディストリビュータまたはマージャーによって接続することができる。マイクロ流体デバイスは、第３のマイクロ流体チャネルをさらに含むことができる。方法は、複数の移動ユニットを順序付けされたフローで第２のマイクロ流体チャネルを通して第３のマイクロ流体チャネルへルーティングすることをさらに含むことができる。第２のマイクロ流体チャネルおよび第３のマイクロ流体チャネルは、同一でもよい。第１のマイクロ流体チャネルおよび第３のマイクロ流体チャネルは、同一でもよい。第２のマイクロ流体チャネルおよび第３のマイクロ流体チャネルは、接合管、ユニットスペーサ、ディストリビュータまたはマージャーによって接続することができる。第１のマイクロ流体チャネルの幅は、マイクロ流体チャネルの外側で測定されるｋ個の移動ユニットの平均直径の０．０１〜２倍でもよい。第１のマイクロ流体チャネルの幅は、マイクロ流体チャネルの外側で測定される、ｋ個の移動ユニットの平均直径の、２、１．９、１．８、１．７、１．６、１．５、１．４、１．３、１．２、１．１、１、０．９、０．８、０．７、０．６５、０．６、０．５５、０．５、０．４、０．３、０．２、０．１、０．０５、０．０１倍未満であるか、またはより小さくてもよい。第１のマイクロ流体チャネルの幅は、マイクロ流体チャネルの外側で測定されるｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９、２倍より大きいか、またはより大きくてもよい。第２のマイクロ流体チャネルの幅は、ユニットの平均直径の１．０５〜１００倍でもよい。第２のマイクロ流体チャネルの幅は、ユニットの平均直径の、１．０５、１．１、１．２、１．３、１．４、１．５、１．６、１．７、１．８、１．９、２、２．５、３、４、５、６、７、８、９、１０、２０、３０、４０、５０、６０、７０、８０、９０、１００倍より大きいか、またはより大きくてもよい。第２のマイクロ流体チャネルの幅は、ユニットの平均直径の、１０００、１００、９０、８０、７０、６０、５０、４０、３０、２０、１０、９、８、７、６、５、４、３、２、１．９、１．８、１．７、１．６、１．５、１．４、１．３、１．２、１．１、１．０５倍未満であるか、またはより小さくてもよい。第３のマイクロ流体チャネルの幅は、マイクロ流体チャネルの外側で測定されるｋ個の移動ユニットの平均直径の、０．０１〜２倍でもよい。第３のマイクロ流体チャネルの幅は、マイクロ流体チャネルの外側で測定されるｋ個の移動ユニットの平均直径の、２、１．９、１．８、１．７、１．６、１．５、１．４、１．３、１．２、１．１、１、０．９、０．８、０．７、０．６５、０．６、０．５５、０．５、０．４、０．３、０．２、０．１、０．０５、０．０１倍未満であるか、またはより小さくてもよい。第３のマイクロ流体チャネルの幅は、マイクロ流体チャネルの外側で測定されるｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９、２倍より大きいか、またはより大きくてもよい。第１のマイクロ流体チャネルの幅は、ユニットの平均直径の１．０５〜１００倍でもよい。第１のマイクロ流体チャネルの幅は、ユニットの平均直径の、１．０５、１．１、１．２、１．３、１．４、１．５、１．６、１．７、１．８、１．９、２、２．５、３、４、５、６、７、８、９、１０、２０、３０、４０、５０、６０、７０、８０、９０、１００倍より大きいか、またはより大きくてもよい。第１のマイクロ流体チャネルの幅は、ユニットの平均直径の１０００、１００、９０、８０、７０、６０、５０、４０、３０、２０、１０、９、８、７、６、５、４、３、２、１．９、１．８、１．７、１．６、１．５、１．４、１．３、１．２、１．１、１．０５倍未満であるか、またはより小さくてもよい。第２のマイクロ流体チャネルの幅は、マイクロ流体チャネルの外側で測定されるｋ個の移動ユニットの平均直径の、０．０１〜２倍でもよい。第２のマイクロ流体チャネルの幅は、マイクロ流体チャネルの外側で測定されるｋ個の移動ユニットの平均直径の、２、１．９、１．８、１．７、１．６、１．５、１．４、１．３、１．２、１．１、１、０．９、０．８、０．７、０．６５、０．６、０．５５、０．５、０．４、０．３、０．２、０．１、０．０５、０．０１倍未満であるか、またはより小さくてもよい。第２のマイクロ流体チャネルの幅は、マイクロ流体チャネルの外側で測定されるｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９、２倍より大きいか、またはより大きくてもよい。第３のマイクロ流体チャネルの幅は、ユニットの平均直径の１．０５〜１００倍でもよい。第３のマイクロ流体チャネルの幅は、ユニットの平均直径の、１．０５、１．１、１．２、１．３、１．４、１．５、１．６、１．７、１．８、１．９、２、２．５、３、４、５、６、７、８、９、１０、２０、３０、４０、５０、６０、７０、８０、９０、１００倍より大きいか、またはより大きくてもよい。第３のマイクロ流体チャネルの幅は、ユニットの平均直径の、１０００、１００、９０、８０、７０、６０、５０、４０、３０、２０、１０、９、８、７、６、５、４、３、２、１．９、１．８、１．７、１．６、１．５、１．４、１．３、１．２、１．１、１．０５倍未満であるか、またはより小さくてもよい。
本発明は、例えば、以下を提供する。
（項目１）
マイクロ流体デバイス内の移動ユニットをルーティングする方法であって、
ａ．  ｋ個の移動ユニットを第１の順序で前記マイクロ流体デバイスの第１のチャネルを通してルーティングすることと、
ｂ．  前記ｋ個の移動ユニットの少なくともサブセットをｚ個の分岐チャネルに分配することと、
ｃ．  前記ｋ個の移動ユニットの少なくともサブセットを第２の順序で第２のチャネルにルーティングすることと
を含む方法。
（項目２）
ステップｂにおける前記ルーティングが、前記ｋ個の移動ユニットの少なくともサブセットに対して前記マイクロ流体デバイスを通して所定のユニットルーティングアルゴリズムに従って実行される、項目１に記載の方法。
（項目３）
前記ユニットルーティングアルゴリズムが、前記マイクロ流体デバイスの少なくとも１つの分岐ポイントでのルーティング選択を含む、項目２に記載の方法。
（項目４）
前記ｋ個の移動ユニットのそれぞれが、前記ｚ個の分岐チャネルの特定の１つを含むパスにマップ可能である、項目１に記載の方法。
（項目５）
前記ｋ個の移動ユニットのそれぞれが、前記マイクロ流体デバイス内部での移動ユニットの前記変化をトラッキングするように構成されている少なくとも１つの検出器からのユニットトラッキング情報に基づいて、前記ｚ個の分岐チャネルの特定の１つを含むパスにマップ可能である、項目４に記載の方法。
（項目６）
前記ｋ個の移動ユニットのそれぞれが、前記第２の順序に基づいて前記ｚ個の分岐チャネルの特定の１つを含むパスにマップ可能である、項目４に記載の方法。
（項目７）
ステップｃの前記ｋ個の移動ユニットの前記少なくともサブセットが前記ｋ個の移動ユニットの全てを含む、項目１に記載の方法。
（項目８）
前記第１のチャネルおよび前記第２のチャネルが同一である、項目１に記載の方法。
（項目９）
ステップｂとｃとの間で、前記ｋ個の移動ユニットの少なくともサブセットの前記流れの向きが逆転されている、項目１に記載の方法。
（項目１０）
ステップｂにおいて、少なくとも１つのユニットが第１の分岐チャネル端を通して第１の分岐チャネルにルーティングされ、ステップｃにおいて、前記少なくとも１つのユニットは前記第１の分岐チャネルから出て前記第１の分岐チャネル端を通してルーティングされる、項目１に記載の方法。
（項目１１）
ステップｂにおいて、少なくとも１つのユニットが第１の分岐チャネル端を通して第１の分岐チャネルにルーティングされ、ステップｃにおいて、前記少なくとも１つのユニットは前記第１の分岐チャネルから出て第１の分岐チャネル端とは異なる第２の分岐チャネル端を通してルーティングされる、項目１に記載の方法。
（項目１２）
前記方法が、前記ｋ個の移動ユニットを前記第２のチャネルから前記第１のチャネルへルーティングすることをさらに含む、項目１に記載の方法。
（項目１３）
前記第２のチャネルが前記第１のチャネルと流体結合している、項目１に記載の方法。
（項目１４）
ステップａ〜ｃをｎ回繰り返すことをさらに含む、項目１に記載の方法。
（項目１５）
ｎが２である、項目１４に記載の方法。
（項目１６）
ｎが２〜１０である、項目１４に記載の方法。
（項目１７）
ｎが１０〜１００である、項目１４に記載の方法。
（項目１８）
ｎが１００〜１０００である、項目１４に記載の方法。
（項目１９）
ｎが、３、４、５、６、７、８、９、１０、１５、２０、３０、４０、５０、６０、７５、１００、１５０、２００、３００、４００、５００、７５０または１，０００である、項目１４に記載の方法。
（項目２０）
ｎが、少なくとも、２、３、４、５、６、７、８、９、１０、１５、２０、３０、４０、５０、６０、７５、１００、１５０、２００、３００、４００、５００、７５０または１０００である、項目１４に記載の方法。
（項目２１）
前記移動ユニットがビーズである、項目１に記載の方法。
（項目２２）
前記移動ユニットがビーズ、液滴、セル、バブル、スラグおよび非混合性容積からなるグループから選択される、項目１に記載の方法。
（項目２３）
前記ビーズがガラスビーズまたはポリマービーズを含む、項目２１に記載の方法。
（項目２４）
前記マイクロ流体デバイスが、前記ｋ個の移動ユニットの平均横断面のｘ倍の最大の横断面を有するｉ個のチャネルを含み、ｉは２〜１００００であり、ｘは１．０５〜２．０である、項目１に記載の方法。
（項目２５）
ｉが２〜１００である、項目２４に記載の方法。
（項目２６）
ｉが１００〜１０００である、項目２４に記載の方法。
（項目２７）
前記マイクロ流体デバイスが、前記ｋ個の移動ユニットの平均横断面のｘ倍以下の最大の横断面を有する少なくともｉ個のチャネルを含む、項目１に記載の方法。
（項目２８）
前記移動ユニットがビーズである、項目２７に記載の方法。
（項目２９）
ｘが、２、１．９、１．８、１．７、１．６、１．５、１．４、１．３、１．２、１．１または１．０５である、項目２７に記載の方法。
（項目３０）
ｉが、２、３、４、５、１０、２０、５０、１００、１０００、５０００または１００００である、項目２７に記載の方法。
（項目３１）
前記マイクロ流体デバイスが２００マイクロメートル以下の最大の横断面を有する少なくともｊ個のチャネル含み、ｊが２〜１００００である、項目１に記載の方法。
（項目３２）
前記少なくともｊ個のチャネルの前記最大の横断面が１０マイクロメートル以下である、項目３１に記載の方法。
（項目３３）
前記マイクロ流体デバイスが、２００マイクロメートル以下の最大の横断面を有する少なくともｊ個のチャネルを含む、項目１に記載の方法。
（項目３４）
ｊが、２、３、４、５、１０、２０、５０、１００、５００、１０００、５０００または１００００である、項目３１に記載の方法。
（項目３５）
前記ｋ個の移動ユニットに対する横断面変動係数が１％〜２０％である、項目１に記載の方法。
（項目３６）
前記ｋ個の移動ユニットに対する横断面変動係数が２％〜５％である、項目３５に記載の方法。
（項目３７）
前記ｋ個の移動ユニットに対する横断面変動係数が、２０％、１９％、１８％、１７％、１６％、１５％、１４％、１３％、１２％、１１％、１０％、９％、８％、７％、６％、５％、４％、３％、２％または１％未満である、項目１に記載の方法。
（項目３８）
異なる試薬を前記ｚ個の分岐チャネルのそれぞれに配送することをさらに含む、項目１に記載の方法。
（項目３９）
前記試薬が２'−デオキシヌクレオシドアミド亜リン酸を含む、項目３８に記載の方法。
（項目４０）
少なくとも１つの移動ユニットをサイドチャネルに方向付けすることをさらに含む、項目１または３８に記載の方法。
（項目４１）
前記逆チャネルの前記少なくとも１つの移動ユニットを前記第２のチャネルに方向付けすることをさらに含む、項目４０に記載の方法。
（項目４２）
前記第１の順序が所定のものである、項目１または１４に記載の方法。
（項目４３）
前記第２の順序が所定のものである、項目１、１４または４２に記載の方法。
（項目４４）
ｚが２〜１０である、項目１に記載の方法。
（項目４５）
ｚが１０〜１００である、項目１に記載の方法。
（項目４６）
ｚが１００〜１０００である、項目１に記載の方法。
（項目４７）
ｚが、少なくとも、１、２、３、４、５、６、７、８、９、１０、２０、３０、５０または１００である、項目１に記載の方法。
（項目４８）
ｚが、１００、５０、３０、２０、１０、９、８、７、６、５、４、３または２未満である、項目１または４７に記載の方法。
（項目４９）
前記ｚ個の分岐チャネルのそれぞれが、１つまたは２つの端部のバルブまたはユニットストッパによっておおわれている、項目１に記載の方法。
（項目５０）
１つ以上の試薬チャネルが試薬を前記ｚ個の分岐チャネルのそれぞれに配送するように構成されている、項目１に記載の方法。
（項目５１）
１つ以上の前記試薬チャネルの少なくとも１つからの試薬の配送がバルブによって制御される、項目５０に記載の方法。
（項目５２）
ｋが２〜１００００００の間にある、項目１に記載の方法。
（項目５３）
ｋが２〜５００００００の間にある、項目５２に記載の方法。
（項目５４）
ｋが２０〜１００の間にある、項目５３に記載の方法。
（項目５５）
ｋが１００〜１０００の間にある、項目５３に記載の方法。
（項目５６）
ｋが１００００〜１０００００の間にある、項目５３に記載の方法。
（項目５７）
ｋが１０００００〜１００００００の間にある、項目５３に記載の方法。
（項目５８）
ｋが２〜５００の間にある、項目１に記載の方法。
（項目５９）
ｋが、少なくとも、２、３、４、５、６、７、８、９、１０、２０、３０、５０、１００、５００、１０００、１００００、５００００、１０００００、５０００００または１００００００である、項目１に記載の方法。
（項目６０）
ｋが、５００００００、１００００００、５０００００、１０００００、５００００、１００００、１０００、５００、１００、５０、３０または２０未満である、項目１または５９に記載の方法。
（項目６１）
少なくとも１つの移動ユニットがラベルを含み、前記少なくとも１つの移動ユニットの位置が前記第２の順序で前記少なくとも１つのユニットのラベルを用いて検査される、項目１、１４または４２に記載の方法。
（項目６２）
少なくとも１つの移動ユニットがラベルを含み、前記少なくとも１つの移動ユニットの位置が前記第１の順序で前記少なくとも１つのユニットのラベルを用いて検査される、項目１、１４または４３に記載の方法。
（項目６３）
前記少なくとも１つの移動ユニットが少なくとも２つの移動ユニットで含み、かつ前記少
なくとも２つの移動ユニットの前記ラベルがユニークではない、項目６１または６２に
記載の方法。
（項目６４）
ａ．  ｚ個の分岐チャネルのセットと流体結合している第１のチャネルであって、ｚ個の分岐チャネルのセットが移動ユニットを第１の順序で第１のチャネルから受け入れるように構成されている、第１のチャネルと、
ｂ．  ｚ個の分岐チャネルの前記セットと流体結合している第２のチャネルであって、移動ユニットを第２の順序でｚ個の分岐チャネルの前記セットから受け入れるように構成されている、第２のチャネルと
を含み、
前記第２の順序は、ｚ個の分岐チャネルの前記セットのうち移動ユニットを前記第２の順序で配送するように構成されている特定の分岐チャネルを決定する、
マイクロ流体デバイス。
（項目６５）
前記第１の順序または前記第２の順序が制御可能である、項目６１に記載のマイクロ流体デバイス。
（項目６６）
ｋ個の移動ユニットをさらに含む、項目６１に記載のマイクロ流体デバイス。
（項目６７）
前記第１のチャネルとｚ個の分岐チャネルの前記セットの間のディストリビュータをさらに含む、項目６１に記載のマイクロ流体デバイス。
（項目６８）
ｚが２〜５０の間にある、項目６４に記載のマイクロ流体デバイス。
（項目６９）
ｚが、少なくとも、２、３、４、５、６、７、８、９、１０、２０、３０または５０である、項目６８に記載のマイクロ流体デバイス。
（項目７０）
ｚが、５０、３０、２０、１０、９、８、７、６、５、４、３または２未満である、項目６８または６９に記載のマイクロ流体デバイス。
（項目７１）
ｋが２〜５００の間にある、項目６６に記載のマイクロ流体デバイス。
（項目７２）
ｋが２〜５００００００の間にある、項目６６に記載のマイクロ流体デバイス。
（項目７３）
ｋが、少なくとも、２、３、４、５、６、７、８、９、１０、２０、３０、５０、１００、５００、１０００、１００００、５００００、１０００００、５０００００、１００００００または５００００００である、項目６６に記載のマイクロ流体デバイス。
（項目７４）
ｋが、５００００００、１００００００、５０００００、１０００００、５００００、１００００、１０００、５００、１００、５０、３０、２０、１０、９、８、７、６、５、４、３または２未満である、項目７２または７３に記載のマイクロ流体デバイス。
（項目７５）
ｋ個の移動ユニットを含むマイクロ流体デバイスであって、異なる化合物が前記ｋ個の移動ユニットのそれぞれと関連付けられており、前記ｋ個の移動ユニットと関連付けられた前記異なる化合物のそれぞれの合成履歴が前記マイクロ流体デバイス内の前記ｋ個の移動ユニットの構成に基づいて決定可能である、マイクロ流体デバイス。
（項目７６）
ｋ個の移動ユニットを含むマイクロ流体デバイスであって、異なる化合物が前記ｋ個の移動ユニットのそれぞれと関連付けられており、前記ｋ個の移動ユニットのそれぞれに対する処理履歴が前記マイクロ流体デバイス内の前記ｋ個の移動ユニットの構成に基づいて決定可能である、マイクロ流体デバイス。
（項目７７）
前記処理履歴が、光処理履歴、熱処理履歴、酵素処理履歴、裂開処理履歴、異性化履歴、アセチル化履歴、合成履歴、増幅履歴または反応履歴を含む、項目７６に記載のマイクロ流体デバイス。
（項目７８）
前記マイクロ流体デバイスがｉ個の基準マークをさらに含む、項目７５、７６または７７に記載のマイクロ流体デバイス。
（項目７９）
前記ｋ個の移動ユニットの前記構成が前記ｉ個の基準マークに関してｊ個の移動ユニットの前記相対位置に依存する、項目７５、７６または７７に記載のマイクロ流体デバイス。
（項目８０）
ｉが、１、２、３、４、５、６、７、８、９、１０またはそれを超える、項目７８または７９に記載のマイクロ流体デバイス。
（項目８１）
ｊが、１、２、３、４、５、６、７、８、９、１０またはそれを超える、項目７９に記載のマイクロ流体デバイス。
（項目８２）
ａ．  コンピュータ可読媒体を含むコンピュータと、
ｂ．  ｋ個の移動ユニットを含むマイクロ流体デバイスであって、異なる化合物が前記ｋ個の移動ユニットのそれぞれと関連付けられており、前記ｋ個の移動ユニットと関連付けられた前記異なる化合物のそれぞれの処理履歴が前記マイクロ流体デバイス内の前記ｋ個の移動ユニットの構成に基づいて決定可能である、マイクロ流体デバイスと
を含み、
前記コンピュータは、前記コンピュータ可読媒体に前記ｋ個の移動ユニットの位置と関連付けられたデータを繰り返し記録するように構成されている、
システム。
（項目８３）
前記処理履歴が、光処理履歴、熱処理履歴、酵素処理履歴、裂開処理履歴、異性化履歴、アセチル化履歴、合成履歴、増幅履歴または反応履歴を含む、項目８２に記載のシステム。
（項目８４）
ａ．  コンピュータ可読媒体を含むコンピュータと、
ｂ．  マイクロ流体デバイスであって、
ｉ．  ｚ個の分岐チャネルのセットと流体結合している第１のチャネルであって、ｚ個の分岐チャネルの前記セットが移動ユニットを第１の順序で前記第１のチャネルから受け入れるように構成されている、第１のチャネルと、
ｉｉ．  ｚ個の分岐チャネルの前記セットと流体結合している第２のチャネルであって、移動ユニットを第２の順序でｚ個の分岐チャネルの前記セットから受け入れるように構成されている、第２のチャネルと
を含む、マイクロ流体デバイスと
を含み、
前記第２の順序は、ｚ個の分岐チャネルの前記セットのうち移動ユニットを前記第２の順序で配送するように構成されている特定のチャネルを決定し、
前記コンピュータは、前記コンピュータ可読媒体に前記移動ユニットの位置と関連付けられたデータを繰り返し記録するように構成されている、
システム。
（項目８５）
トラッキングの方法であって、
ａ．  ｋ個の移動ユニットを第１の順序でマイクロ流体デバイスの第１のチャネルを通して移動させることと、
ｂ．  前記マイクロ流体デバイスの中の前記ｋ個の移動ユニットの少なくともサブセットをルーティングして、このことにより第２の順序を作成することと、
ｃ．  前記第２の順序と予め指定されたポストルーティング順序との比較を実行することと、
ｄ．  ｊ個の移動ユニットを、前記ｊ個の移動ユニットを前記ｋ個の移動ユニットの少なくともサブセットの残りのものから切り離すことによってステップｃの前記比較に基づいて補正領域に切り離すことと
を含み、
前記ｋ個の移動ユニットの少なくともサブセットの前記残りのそれぞれがルーティングパスにマップ可能である、
方法。
（項目８６）
前記ルーティングパスが、ステップｂにおける前記ルーティングステップの後にマップされた移動ユニットの前記位置を含む、項目８５に記載の方法。
（項目８７）
前記ルーティングパスが、ステップｂにおける前記ルーティングステップの前にマップされた移動ユニットの前記位置を含む、項目８５に記載の方法。
（項目８８）
移動ユニットの前記位置が、ｍ個のマップしている移動ユニットに関して前記ユニットの相対位置順序を含む、項目８６または８７に記載の方法。
（項目８９）
ｍが、少なくとも、１、２、３、４、５、６、７、８、９、１０、２０、３０、４０、５０または１００である、項目８８に記載の方法。
（項目９０）
ｍが、１００、９０、８０、７０、６０、５０、４０、３０、２０、１０、９、８、７、６、５、４、３または２未満である、項目８８または８９に記載の方法。
（項目９１）
前記ｍ個のマップしている移動ユニットが、前記マップされた移動ユニットから始まる流体接続されたパスに沿った前記マップされた移動ユニットに最も近いｍ個の移動ユニットを含む、項目８８に記載のシステム。
（項目９２）
ルーティングが、前記マイクロ流体デバイスの少なくとも１つの分岐チャネルに分配することを含む、項目８５に記載の方法。
（項目９３）
ルーティングが、前記マイクロ流体デバイスの複数の分岐チャネルからのマージを含む、項目８５に記載の方法。
（項目９４）
前記補正領域が前記マイクロ流体デバイスのチャネルを含む、項目８５に記載の方法。
（項目９５）
前記ｊ個の移動ユニットの少なくとも１つを、前記ｋ個の移動ユニットの少なくともサブセットの前記残りの少なくともサブセットとマージすることをさらに含む、項目８５に記載の方法。
（項目９６）
ｋが２〜５００の間にある、項目８５に記載の方法。
（項目９７）
ｋが２〜１０００００の間にある、項目８５に記載の方法。
（項目９８）
ｋが、少なくとも、２、３、４、５、６、７、８、９、１０、２０、３０、５０、１００、５００、１０００、１００００、５００００、１０００００、５０００００または１００００００である、項目８５に記載の方法。
（項目９９）
ｋが、５００００００、１００００００、５０００００、１０００００、５００００、１００００、１０００、５００、１００、５０、３０、２０、１０、９、８、７、６、５、４、３または２未満である、項目８５または９８に記載の方法。
（項目１００）
少なくとも１つの移動ユニットがラベルを含み、前記少なくとも１つの移動ユニットの位置が前記第２の順序で前記少なくとも１つのユニットのラベルを用いて検査される、項目８５に記載の方法。
（項目１０１）
前記ｋ個の移動ユニットの少なくとも１つの移動ユニットがラベルを含み、前記少なくとも１つの移動ユニットの位置が前記第１の順序で前記少なくとも１つのユニットのラベルを用いて検査される、項目８５に記載の方法。
（項目１０２）
前記少なくとも１つの移動ユニットが少なくとも２つの移動ユニットを含み、前記少なくとも２つの移動ユニットの前記ラベルがユニークではない、項目１００または１０１に記載の方法。
（項目１０３）
ｊが１〜１００００００の間にある、項目８５に記載の方法。
（項目１０４）
ｊが、少なくとも、１、２、３、４、５、６、７、８、９、１０、１１、１２、１３、１４、１５、１６、１７、１８、１９、２０、３０、４０、５０、６０、７０、８０、９０、１００、２００、３００、４００、５００、６００、７００、８００、９００、１０００、１００００、１０００００または１００００００である、項目８５に記載の方法。
（項目１０５）
ｊが、１００００００、１０００００、１００００、１０００、９００、８００、７００、６００、５００、４００、３００、２００、１００、９０、８０、７、６０、５０、４０、３０、２０、１９、１８、１７、１６、１５、１４、１３、１２、１１、１０、９、８、７、６、５、４、３または２未満である、項目８５または１０４に記載の方法。
（項目１０６）
ステップａ〜ｃをｎ回繰り返すことをさらに含む、項目８５または９５に記載の方法。
（項目１０７）
ｎが２である、項目１０５に記載の方法。
（項目１０８）
ｎが、３、４、５、６、７、８、９、１０、１５、２０、３０、４０、５０、６０、７５、１００、１５０、２００、３００、４００、５００、７５０または１０００である、項目１０５に記載の方法。
（項目１０９）
ｎが少なくとも２、３、４、５、６、７、８、９、１０、１５、２０、３０、４０、５０、６０、７５、１００、１５０、２００、３００、４００、５００、７５０または１０００である、項目１０５に記載の方法。
（項目１１０）
ｎが、１００、７５０、５００、４００、３００、２００、１５０、１００、７５、６０、５０、４０、３０、２０、１５、１０、９、８、７、６、５、４、３または２未満である、項目１０５または１０９に記載の方法。
（項目１１１）
前記移動ユニットがビーズ、液滴、セル、バブル、スラグおよび非混合性容積からなるグループから選択される、項目８５に記載の方法。
（項目１１２）
ビーズがガラスビーズまたはポリマービーズを含む、項目１１０に記載の方法。
（項目１１３）
ステップｃにおける前記比較が、少なくとも１つの検出器によって少なくとも１つのユニットの位置を前記第１の順序で検査することを含む、項目８５に記載の方法。
（項目１１４）
ステップｃにおける前記比較が、少なくとも１つの検出器によって少なくとも１つのユニットの位置を前記第２の順序で検査することを含む、項目８５に記載の方法。
（項目１１５）
ステップｃにおける前記比較は、ステップｂにおける前記ルーティングが１つ以上のユニットに実行された後に少なくとも１つの検出器によってユニットをカウントすることと、このことによりユニットカウントのリストを生成することと、前記予め指定されたポストルーティング順序に基づいて、ユニットカウントの前記リストをユニットカウントの予想されるリストと比較することとを含む、項目８５または１０５に記載の方法。
（項目１１６）
ステップｃにおける前記比較は、ステップｂにおける前記ルーティングが１つ以上のユニットに実行された後に少なくとも１つの検出器によって１つ以上のユニット上の１つ以上のラベルを検出することと、このことにより検出されたユニットラベルのリストを生成することと、前記予め指定されたポストルーティング順序に基づいて、検出されたユニットラベルの前記リストをユニットラベルの予想されるリストと比較することとを含む、項目８５または１０５に記載の方法。
（項目１１７）
システムであって、
ａ．  ビーズをキャリア流体に運び込むように構成されているマイクロ流体チャネルと、
ｂ．  前記マイクロ流体チャネルを通して検出パスから信号を検出するように構成されている検出器と、
ｃ．  動作可能な状態で前記検出器に接続されているコンピュータと
を含み、
前記検出パスを通過している前記マイクロ流体チャネル内の孤立した単一ビーズの信号を識別するように調整されている、
システム。
（項目１１８）
前記システムが、前記検出パスを通過している前記マイクロ流体チャネル内のｎ個の隣接したビーズの前記信号を識別するようにさらに調整されている、項目１１７に記載のシステム。
（項目１１９）
ｎが２〜１００である、項目１１８に記載のシステム。
（項目１２０）
ｎが、少なくとも、２、３、４、５、６、７、８、９、１０、１１、１２、１３、１４、１５、１６、１７、１８、１９、２０、３０、４０、５０、６０、７０、８０、９０または１００である、項目１１８に記載のシステム。
（項目１２１）
ｎが、１００、９０  ８０、７０、６０、５０、４０、３０、２０、１９、１８、１７、１６、１５、１４、１３、１２、１１、１０、９、８、７、６、５、４、３または２未満である、項目１１８または１２０に記載のシステム。
（項目１２２）
前記システムが、前記検出パスを通過している前記マイクロ流体チャネル内のガス気泡またはちり粒子の前記信号を識別するためにさらに調整される、項目１１７に記載のシステム。
（項目１２３）
前記マイクロ流体チャネルから１つ以上のビーズをルーティングするように構成されているルーターをさらに含む、項目１１７に記載のシステム。
（項目１２４）
前記システムが、前記ルーターに所要のルーティング信号を送信して、前記検出パスを通過している孤立した単一ビーズ、複数の隣接するビーズ、ガス気泡またはちり粒子の識別に応じてルーティングを遂行するように構成されている、項目１２３に記載のシステム。
（項目１２５）
前記ルーターがディストリビュータを含む、項目１２３に記載のシステム。
（項目１２６）
ビーズスペーサをさらに含む、項目１１７または１１９に記載のシステム。
（項目１２７）
前記ビーズスペーサが前記マイクロ流体チャネルの中に隣接して流れているビーズの間にスペースを置くように構成されている、項目１２６に記載のシステム。
（項目１２８）
第２のマイクロ流体チャネルをさらに含む、項目１１７、１２３、１２４、１２５または１２６に記載のシステム。
（項目１２９）
前記ルーターが前記第２のマイクロ流体チャネルへビーズをルーティングするように構成されている、項目１２８に記載のシステム。
（項目１３０）
前記ルーターがマージャーを含む、項目１２３に記載のシステム。
（項目１３１）
プライマリチャネルと、
分岐ポイントと、
前記プライマリチャネルに前記分岐ポイント経由で流体接続されている第１の分岐チャネルと、
前記プライマリチャネル内を流れるユニットを前記第１の分岐チャネルへルーティングするように構成されている第１のルーターと
を含むマイクロ流体デバイス。
（項目１３２）
前記第１のルーターが、前記プライマリチャネルの中の１つ以上の位置と前記第１の分岐チャネルの中の位置の間に圧力差を引き起こすことによって、前記プライマリチャネルから前記第１の分岐チャネルへユニットをルーティングするように構成されている、項目１３１に記載のデバイス。
（項目１３３）
第２の分岐チャネルをさらに含み、前記第２の分岐チャネルが前記プライマリチャネルに前記分岐ポイント経由で流体接続される、項目１３１に記載のデバイス。
（項目１３４）
前記第１のルーターが、前記プライマリチャネルの中の１つ以上の位置と前記第１の分岐チャネルの中の位置および前記第２の分岐チャネルの中の位置の間に圧力差を引き起こすことによって、前記プライマリチャネルから前記第１の分岐チャネルへユニットをルーティングするように構成されている、項目１３３に記載のデバイス。          
（項目１３５）
前記第１のルーターが、前記プライマリチャネルの中の１つ以上の位置と前記第１の分岐チャネルの中の位置および前記第２の分岐チャネルの中の位置の間に圧力差を引き起こすことによって、前記プライマリチャネルから前記第２の分岐チャネルへユニットをルーティングするように構成されている、項目１３４に記載のデバイス。
（項目１３６）
ｚ個の分岐チャネルをさらに含み、第１のルーターが、前記プライマリチャネルの中の１つ以上の位置と前記第１の分岐チャネルの中の位置の間の圧力差および前記プライマリチャネルの中の１つ以上の位置と前記ｚ個の分岐チャネルのそれぞれの中の位置の間の圧力差を引き起こすことによって、前記プライマリチャネルから前記第１の分岐チャネルへユニットをルーティングするように構成されている、項目１３１に記載のデバイス。
（項目１３７）
前記ルーターが前記分岐ポイント経由で接続されているチャネルの中の流体圧を調整することができるように、前記ルーターが、圧力コントローラに接続するように構成されている流体放出口のネットワークを含む、項目１３１に記載のデバイス。
（項目１３８）
分岐チャネルが前記プライマリチャネルの別々の位置の前記プライマリチャネルに接続する、項目１３１、１３３または１３６に記載のデバイス。
（項目１３９）
前記分岐チャネルの少なくとも１つから前記プライマリチャネルへユニットをルーティングするように構成されている第２のルーターをさらに含む、項目１３１、１３３または１３６に記載のデバイス。
（項目１４０）
前記第１のルーターが前記第２のルーターを含む、項目１３９に記載のデバイス。
（項目１４１）
前記第２のルーターがマージャーを含む、項目１３９に記載のデバイス。
（項目１４２）
ｋ個の移動ユニットを保持しているマイクロ流体チャネルを含むマイクロ流体デバイスであって、前記マイクロ流体デバイスが前記ｋ個の移動ユニットの相対位置順序を維持するように構成されており、前記マイクロ流体チャネルがキャリア流体内に前記ｋ個の移動ユニットを流すように構成されている、マイクロ流体デバイス。
（項目１４３）
流体接続のパスに沿って測定される前記ｋ個の移動ユニットの各ペアの間の最小距離より大きい距離が存在し、前記最小距離が前記ｋ個の移動ユニットの前記ペアの平均直径の少なくとも１．５倍である、項目１４２に記載のデバイス。
（項目１４４）
前記最小距離が前記ｋ個の移動ユニットの前記ペアの平均直径の２〜１００００倍である、項目１４３に記載のデバイス。
（項目１４５）
前記最小距離が、前記ｋ個の移動ユニットの前記ペアの平均直径の、少なくとも、２、３、４、５、６、７、８、９、１０、１５、２０、１００、１０００、５０００または１００００倍である、項目１４３に記載のデバイス。
（項目１４６）
前記最小距離が、前記ｋ個の移動ユニットの前記ペアの平均直径の１００００、５０００、１０００、１００、２０、１５、１０、９、８、７、６、５、４、３または２倍未満である、項目１４３または１４５に記載のデバイス。
（項目１４７）
前記マイクロ流体チャネルの幅が、前記ｋ個の移動ユニットの平均直径の少なくとも２倍である、項目１４２に記載のデバイス。
（項目１４８）
前記マイクロ流体チャネルの幅が、前記ｋ個の移動ユニットの平均直径の、少なくとも２．５、３、４、５、６、７、８、９、１０、２０、３０、４０、５０、６０、７０、８０、９０、１００、１０００または１００００倍である、項目１４６に記載のデバイス。
（項目１４９）
前記マイクロ流体チャネルの幅が、５００００、１００００、１０００、１００、９０、８０、７０、６０、５０、５０、３０、２０、１０、９、８、７、６、５、４、３、２．５または２倍未満である、項目１４２、１４６または１４８に記載のデバイス。
（項目１５０）
マイクロ流体デバイス内のビーズを分離する方法であって、
ａ．  第１のマイクロ流体チャネルおよび第２のチャネルを含むマイクロ流体デバイスを提供することであって、前記第１のマイクロ流体チャネルおよび前記第２のチャネルがビーズスペーサによって接続されている、提供することと、
ｂ．  前記第１のマイクロ流体チャネルを通して前記ビーズスペーサの方向へ複数のビーズを移動させることと、
ｃ．  第１のビーズおよび第２のビーズを連続的に前記ビーズスペーサを通して前記第２のチャネルに通過させることと、
ｄ．  キャリア流体の所要の長さが前記第１のビーズと前記第２のチャネルの前記第２のビーズとの間にスペースを置かれるように前記第２のチャネルを通してキャリア流体を移動させることと
を含む方法。
（項目１５１）
ステップａ〜ｄが少なくともｎ回繰り返される、項目１５０に記載の方法。
（項目１５２）
ｎが２〜１００００００を含む、項目１５０に記載の方法。
（項目１５３）
ｎが、少なくとも、２、３、４、５、６、７、８、９、１０、２０、３０、４０、５０、１００、５００、１０００、５０００、１００００、１０００００または１００００００である、項目１５０に記載の方法。
（項目１５４）
ｎが、多くとも、１０００００００、１００００００、１０００００、１００００、５０００、１０００、５００、１００、５０、４０、３０、２０、１０、９、８、７、６、５、４、３または２である、項目１５０または１５３に記載の方法。
（項目１５５）
前記複数のビーズが２〜１００００００個のビーズを含む、項目１５０に記載の方法。
（項目１５６）
前記複数のビーズが、少なくとも、２、３、４、５、６、７、８、９、１０、２０、３０、４０、５０、１００、５００、１０００、５０００、１００００、１０００００または１００００００個のビーズを含む、項目１５０に記載の方法。
（項目１５７）
前記複数のビーズが、多くとも、１００００００、１０００００、１００００、５０００、１０００、５００、１００、５０、４０、３０、２１、１０、９、８、７、６、５、４、３または２個のビーズを含む、項目１５０または１５６に記載の方法。
（項目１５８）
キャリア流体の前記所要の長さが、前記複数のビーズの平均サイズの１〜１０００倍である、項目１５０に記載の方法。
（項目１５９）
キャリア流体の前記所要の長さが、前記複数のビーズの平均サイズの、少なくとも、１、２、３、４、５、６、７、８、９、１０、２０、２５、３０、４０、５０、１００、２００、３００、４００、５００、６００、７００、８００、９００または１０００倍である、項目１５０に記載の方法。
（項目１６０）
キャリア流体の前記所要の長さが、前記複数のビーズの平均サイズの、多くとも、１００００、１０００、９００、８００、７００、６００、５００、４００、３００、２００、１００、５０、４０、３０、２５、２０、１０、９、８、７、６、５、４、３、２または１倍である、項目１５０または１５９に記載の方法。
（項目１６１）
前記複数のビーズが２〜１００００００個のビーズを含む、項目１５０に記載の方法。
（項目１６２）
前記複数のビーズが、少なくとも、２、３、４、５、６、７、８、９、１０、２０、３０、４０、５０、１００、５００、１０００、１００００、５００００、１０００００、５０００００または１００００００個のビーズを含む、項目１５０に記載の方法。
（項目１６３）
前記複数のビーズが、多くとも、１０００００００、１００００００、５０００００、１０００００、５００００、１００００、１０００、５００、１００、５０、４０、３０、２０、１０、９、８、７、６、５、４、３または２個のビーズを含む、項目１５０または１６２に記載の方法。
（項目１６４）
前記第１のチャネルの幅が前記ビーズの平均直径の１〜２倍である、項目１５０に記載の方法。
（項目１６５）
前記第１のチャネルの幅が、前記ビーズの平均直径の、２、１．９、１．８、１．７、１．６、１．５、１．４、１．３、１．２、１．１、１．０５または１．０１倍より小さい、項目１５０に記載の方法。
（項目１６６）
前記第１のチャネルの幅が、前記ビーズの平均直径の、１．０１、１．０５、１．１、１．２、１．３、１．４、１．５、１．６、１．７、１．８、１．９、２倍を超える、項目１５０または１６５に記載の方法。
（項目１６７）
前記第２のチャネルの幅が、前記ビーズの平均直径の１．０１倍および、１００倍である、項目１５０に記載の方法。
（項目１６８）
前記第２のチャネルの幅が、前記ビーズの平均直径の、少なくとも、１．０１、１．０５、１．１、１．２、１．３、１．４、１．５、１．６、１．７、１．８、１．９、２、２．５、３、４、５、６、７、８、９、１０、２０、３０、４０、５０、６０、７０、８０、９０または１００倍である、項目１５０に記載の方法。
（項目１６９）
前記第２のチャネルの幅が、前記ビーズの平均直径の、多くとも、１０００、１００、９０、８０、７０、６０、５０、４０、３０、２０、１０、９、８、７、６、５、４、３、２、１．９、１．８、１．７、１．６、１．５、１．４、１．３、１．２、１．１、１．０５または１．０１倍である、項目１５０または１６８に記載の方法。
（項目１７０）
キャリア流体速度が、５０メートル／秒、１０メートル／秒、１メートル／秒、１００ミリメートル／秒、１０ミリメートル／秒、１１ミリメートル／秒、０．１ミリメートル／秒または０．０１ミリメートル／秒未満である、項目１５０に記載の方法。
（項目１７１）
キャリア流体速度が、少なくとも、０．０１、０．１、１、１０、１００ミリメートル／秒、１、１０または５０メートル／秒である、項目１５０または１７０に記載の方法。
（項目１７２）
前記第１および前記第２のビーズが、１０秒、１秒、０．１秒、０．０１秒、１ミリ秒、０．１ミリ秒または０．０１ミリ秒未満の範囲内で前記ビーズスペーサを通過する、項目１５０または１５１に記載の方法。
（項目１７３）
ｋ個の移動ユニットを保持しているマイクロ流体チャネルを含むマイクロ流体デバイスであって、前記マイクロ流体デバイスが前記ｋ個の移動ユニットの相対位置順序を維持するように構成されており、前記マイクロ流体チャネルがキャリア流体内に前記ｋ個の移動ユニットを流すように構成されている、マイクロ流体デバイス。
（項目１７４）
前記マイクロ流体チャネルの幅が、前記マイクロ流体チャネルの外側で測定される前記ｋ個の移動ユニットの平均直径の０．０５〜２倍である、項目１７３に記載のデバイス。
（項目１７５）
前記マイクロ流体チャネルの幅が、前記マイクロ流体チャネルの外側で測定される前記ｋ個の移動ユニットの平均直径の、２、１．９、１．８、１．７、１．６、１．５、１．４、１．３、１．２、１．１、１．０５、１．０１、１、０．９５、０．９、０．８、０．７、０．６、０．５、０．４、０．４、０．３、０．２、０．１または０．０５倍未満である、項目１７３に記載のデバイス。
（項目１７６）
前記マイクロ流体チャネルの幅が、前記マイクロ流体チャネルの外側で測定される前記ｋ個の移動ユニットの平均直径の、０．０５、０．１、０．２、０．３、０．４、０．５、０．６、０．７、０．８、０．９、０．９５、１、１．０１、１．１、１．２、１．３、１．４、１．５、１．６、１．７、１．８、１．９または１．９５倍を超える、項目１７３または１７４に記載のデバイス。
（項目１７７）
前記デバイスが、前記マイクロ流体チャネルの中の前記ｋ個の移動ユニットを前記マイクロ流体チャネルの移動方向に沿って移動させるように構成されており、前記ｋ個の移動ユニットの平均直径の２倍未満の、前記マイクロ流体チャネルの前記移動方向に沿った、前記マイクロ流体の範囲内のｋ個の移動ユニットの隣接ペアの間の中心間距離がある、項目１７３に記載のデバイス。
（項目１７８）
前記中心間距離が前記ｋ個の移動ユニットの平均直径の０．０１〜１．９倍である、項目１７７に記載のデバイス。
（項目１７９）
前記中心間距離が、前記ｋ個の移動ユニットの平均直径の、１．９、１．８、１．７、１．６、１．５、１．４、１．３、１．２、１．１、１、０．９、０．８、０．７、０．６５、０．６、０．５５、０．５、０．４、０．３、０．２、０．１、０．０５または０．０１倍である、項目１７７に記載のデバイス。
（項目１８０）
前記中心間距離が、前記ｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９または２倍より大きい、項目１７７または１７９に記載のデバイス。
（項目１８１）
前記デバイスが、前記マイクロ流体チャネルの中の前記ｋ個の移動ユニットを前記マイクロ流体チャネルの移動方向に沿って移動させるように構成されており、前記マイクロ流体チャネルの前記移動方向に沿った前記マイクロ流体チャネルの中のｋ個の移動ユニットの隣接ペア間の最短距離が、前記マイクロ流体チャネルの外側で測定される前記ｋ個の移動ユニットの平均直径の、２、１．９、１．８、１．７、１．６、１．５、１．４、１．３、１．２、１．１、１、０．９、０．８、０．７、０．６５、０．６、０．５５、０．５、０．４、０．３、０．２、０．１、０．０５または０．０１倍未満である、項目１７７に記載のデバイス。
（項目１８２）
前記最短距離が、前記マイクロ流体チャネルの外側で測定される前記ｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９または２倍より大きい、項目１８１に記載のデバイス。
（項目１８３）
前記マイクロ流体チャネルの平均幅からの最大偏差が、２０％、１５％、１０％、５％、４％、３％、２％、１％または０．１％未満である、項目１７７に記載のデバイス。
（項目１８４）
前記マイクロ流体チャネルの平均幅からの最大偏差が、０．１％、１％、２％、３％、４％、５％、１０％、１５％または２０％より大きい、項目１７７または１８３に記載のデバイス。
（項目１８５）
前記ｋ個の移動ユニットの直径の変動係数が、１０％、９％、８％、７％、６％、５％、４％、３％、２％または１％未満である、項目１７７または１８３に記載のデバイス。
（項目１８６）
前記ｋ個の移動ユニットの直径の変動係数が、１％、２％、３％、４％、５％、６％、７％、８％、９％または１０％より大きい、項目１７７、１８３または１８５に記載のデバイス。
（項目１８７）
前記ｋ個の移動ユニットの直径の変動係数が、１０％、９％、８％、７％、６％、５％、４％、３％、２％または１％未満である、ｋ個の移動ユニットを含むマイクロ流体デバイス。
（項目１８８）
前記ｋ個の移動ユニットの直径の変動係数が、１％、２％、３％、４％、５％、６％、７％、８％、９％または１０％より大きい、項目１８７に記載のマイクロ流体デバイス。
（項目１８９）
ソートの方法であって、
ａ．  ｋ個の移動ユニットを提供することと、
ｂ．  前記ｋ個の移動ユニットをユニットサイズソーターに導入することと、
ｃ．  ユニットサイズの所定の範囲外となっているサイズを有するｋ個の移動ユニットのサブセットを、前記ｋ個の移動ユニットの前記残りから切り離すことと、
ｄ．  前記ｋ個の移動ユニットの前記残りの少なくともサブセットをマイクロ流体デバイスに導入することと
を含む方法。
（項目１９０）
ユニットサイズの前記所定の範囲の上限が、前記所定の範囲の下限の、１．３、１．２５、１．２、１．１５、１．１４、１．１３、１．１２、１．１１、１．１、１．０９、１．０８、１．０７、１．０６、１．０５、１．０３または１．０２倍未満である、項目１８９に記載の方法。
（項目１９１）
ユニットサイズの前記所定の範囲の上限が、前記所定の範囲の下限の、１．０２、１．０３、１．０５、１．０６、１．０７、１．０８、１．０９、１．１、１．１１、１．１２、１．１３、１．１４、１．１５、１．２、１．２５または１．３倍より大きい、項目１８９または１９０に記載の方法。
（項目１９２）
マイクロ流体デバイス内のユニットを切り離す方法であって、
ａ．  第１のマイクロ流体チャネルおよび第２のチャネルを含むマイクロ流体デバイスを提供することであって、前記第１のマイクロ流体チャネルおよび前記第２のチャネルがユニットスペーサによって接続されている、提供することと、
ｂ．  複数のユニットを前記第１のマイクロ流体チャネルを通して前記ユニットスペーサの方向へ移動させることと、
ｃ．  第１のユニットおよび第２のユニットを連続的に前記ユニットスペーサを通して前記第２のチャネルに通過させることと、
ｄ．  キャリア流体を、キャリア流体の所要の長さが前記第２のチャネルの前記第１のユニットと前記第２のユニットの間にスペースを置かれるように、前記第２のチャネルを通して移動させることと
を含む方法。
（項目１９３）
ステップａ〜ｄが少なくともｎ回繰り返される、項目１９１１９１に記載の方法。
（項目１９４）
ｎが２〜１００００００である、項目１９１に記載の方法。
（項目１９５）
ｎが、少なくとも、２、３、４、５、６、７、８、９、１０、２０、３０、４０、５０、１００、５００、１０００、５０００、１００００、１０００００または１００００００である、項目１９１に記載の方法。
（項目１９６）
ｎが、多くとも、１０００００００、１００００００、１０００００、１００００、５０００、１０００、５００、１００、５０、４０、３０、２０、１０、９、８、７、６、５、４、３または２である、項目１９１または１９５に記載の方法。
（項目１９７）
前記複数のユニットが２〜１００００００個のユニットを含む、項目１９１に記載の方法。
（項目１９８）
前記複数のユニットが、少なくとも、２、３、４、５、６、７、８、９、１０、２０、３０、４０、５０、１００、５００、１０００、５０００、１００００、１０００００または１００００００個のユニットを含む、項目１９１に記載の方法。
（項目１９９）
前記複数のユニットが、多くとも、１００００００、１０００００、１０００００、５０００、１０００、５００、１００、５０、４０、３０、２０、１０、９、８、７、６、５、４、３または２個のユニットを含む、項目１９１または１９８に記載の方法。
（項目２００）
キャリア流体の前記所要の長さが、前記複数のユニットの平均サイズの１〜１０００倍である、項目１９１に記載の方法。
（項目２０１）
キャリア流体の前記所要の長さが、前記複数のユニットの平均サイズの、少なくとも、１、２、３、４、５、６、７、８、９、１０、２０、２５、３０、４０、５０、１００、２００、３００、４００、５００、６００、７００、８００、９００または１０００倍である、項目１９１に記載の方法。
（項目２０２）
キャリア流体の前記所要の長さが、前記複数のユニットの平均サイズの、多くとも、１００００、１０００、９００、８００、７００、６００、５００、４００、３００、２００、１００、５０、４０、３０、２５、２０、１０、９、８、７、６、５、４、３、２または１倍である、項目１９１または２０１に記載の方法。
（項目２０３）
前記第１のチャネルの幅が、前記ユニットの平均直径の１．１〜２倍である、項目１９１に記載の方法。
（項目２０４）
前記第１のチャネルの幅が、前記ユニットの平均直径の、２、１．９、１．８、１．７、１．６、１．５、１．４、１．３、１．２または１．１倍未満である、項目１９１に記載の方法。
（項目２０５）
前記第１のチャネルの幅が、前記ユニットの平均直径の、１．０５、１．１、１．２、１．３、１．４、１．５、１．６、１．７、１．８、１．９、２倍を超える、項目１９１または２０４に記載の方法。
（項目２０６）
前記第２のチャネルの幅が、前記ユニットの平均直径の１．０５〜１００倍である、項目１９１に記載の方法。
（項目２０７）
前記第２のチャネルの幅が、前記ユニットの平均直径の、少なくとも、１．０５、１．１、１．２、１．３、１．４、１．５、１．６、１．７、１．８、１．９、２、２．５、３、４、５、６、７、８、９、１０、２０、３０、４０、５０、６０、７０、８０、９０または１００倍である、項目１９１に記載の方法。
（項目２０８）
前記第２のチャネルの幅が、前記ユニットの平均直径の、多くとも、１０００、１００、９０、８０、７０、６０、５０、４０、３０、２０、１０、９、８、７、６、５、４、３、２、１．９、１．８、１．７、１．６、１．５、１．４、１．３、１．２、１．１または１．０５倍である、項目１９１または２０７に記載の方法。
（項目２０９）
キャリア流体速度が、少なくとも、０．０１、０．１、１、１０、１００ミリメートル／秒、１、１０または５０メートル／秒である、項目１９１に記載の方法。
（項目２１０）
キャリア流体速度が、５０メートル／秒、１０メートル／秒、１メートル／秒、１００ミリメートル／秒、１０ミリメートル／秒、１１ミリメートル／秒、０．１ミリメートル／秒または０．０１ミリメートル／秒未満である、項目１９１または２０９に記載の方法。
（項目２１１）
前記第１および前記第２のユニットが０．０１ミリ秒〜１０秒以内に前記ユニットスペーサを通過する、項目１９１または１９３に記載の方法。
（項目２１２）
前記第１および前記第２のユニットが、１０秒、１秒、０．１秒、０．０１秒、１ミリ秒、０．１ミリ秒または０．０１ミリ秒未満以内に前記ユニットスペーサを通過する、項目１９１または１９３に記載の方法。
（項目２１３）
前記マイクロ流体デバイスが、前記複数のユニットの相対位置順序を維持するように構成されている、項目１９１〜２１２のいずれかに記載の方法。
（項目２１４）
前記複数のユニットが、ビーズ、液滴、セル、バブル、スラグおよび非混合性容積からなるグループから選択される、項目１９１〜２１２のいずれかに記載の方法。
（項目２１５）
ビーズがガラスビーズまたはポリマービーズを含む、項目２１４に記載の方法。
（項目２１６）
ａ．  コンピュータ可読媒体を含むコンピュータと、
ｂ．  流体連結しているｒ個のルーターおよびｃ個のマイクロ流体チャネルを含むマイクロ流体デバイスであって、前記ｒ個のルーターがｋ個の移動ユニットを前記ｃ個のマイクロ流体チャネルの少なくともサブセットを通してルーティングするように構成されている、マイクロ流体デバイスと、
ｃ．  動作可能な状態で前記コンピュータに接続されているｄ個の検出器であって、前記検出器が前記少なくともｃ個のマイクロ流体チャネルまたは前記少なくともｒ個のルーターを通して検出パスからの信号を検出するように構成されている、ｄ個の検出器と
を含み、
前記コンピュータが、前記少なくともｄ個の検出器から検出された信号と関連付けられたデータを繰り返し前記コンピュータ可読媒体に記録して、前記ｋ個の移動ユニットの少なくともサブセットのためのルーティングパスを生成するように構成されている、
システム。
（項目２１７）
ｃが２〜１０００である、項目２１６に記載のシステム。
（項目２１８）
ｃが、少なくとも、２、３、４、５、６、７、８、９、１０、１１、１２、１３、１４、１５、１６、１７、１８、１９、２０、３０、３２、４０、４８、５０、６０、６４、７０、７２、８０、９０、９６、１００、２００、３００、４００、５００、６００、７００、８００、９００または１０００である、項目２１６に記載のシステム。
（項目２１９）
ｃが、多くとも、１００００、１０００、９００、８００、７００、６００、５００、４００、３００、２００、１００、９６、９０、８０、７２、７０、６４、６０、５０、４８、４０、３２、３０、２０、１９、１８、１７、１６、１５、１４、１３、１２、１１、１０、９、８、７、６、５、４、３または２である、項目２１６または２１８に記載のシステム。
（項目２２０）
ｄが２〜１０００である、項目２１６に記載のシステム。
（項目２２１）
ｄが、少なくとも、２、３、４、５、６、７、８、９、１０、１１、１２、１３、１４、１５、１６、１７、１８、１９、２０、３０、３２、４０、４８、５０、６０、６４、７０、７２、８０、９０、９６、１００、２００、３００、４００、５００、６００、７００、８００、９００または１０００である、項目２１６に記載のシステム。
（項目２２２）
ｄが、多くとも、１００００、１０００、９００、８００、７００、６００、５００、４００、３００、２００、１００、９６、９０、８０、７２、７０、６４、６０、５０、４８、４０、３２、３０、２０、１９、１８、１７、１６、１５、１４、１３、１２、１１、１０、９、８、７、６、５、４、３または２である、項目２１６または２２１に記載のシステム。
（項目２２３）
ｒが２〜１０００である、項目２１６に記載のシステム。
（項目２２４）
ｒが、少なくとも、２、３、４、５、６、７、８、９、１０、１１、１２、１３、１４、１５、１６、１７、１８、１９、２０、３０、３２、４０、４８、５０、６０、６４、７０、７２、８０、９０、９６、１００、２００、３００、４００、５００、６００、７００、８００、９００または１０００である、項目２１６に記載のシステム。
（項目２２５）
ｒが、多くとも、１００００、１０００、９００、８００、７００、６００、５００、４００、３００、２００、１００、９６、９０、８０、７２、７０、６４、６０、５０、４８、４０、３２、３０、２０、１９、１８、１７、１６、１５、１４、１３、１２、１１、１０、９、８、７、６、５、４、３または２である、項目２１６または２２４に記載のシステム。
（項目２２６）
ｋが２〜１００００００である、項目２１６に記載のシステム。
（項目２２７）
ｋが、少なくとも、２、３、４、５、６、７、８、９、１０、２０、３０、５０、１００、５００、１０００、１００００、５００００、１０００００、５０００００または１００００００である、項目２１６に記載のシステム、
（項目２２８）
ｋが、多くとも、５００００００、１００００００、５０００００、１０００００、５００００、１００００、１０００、５００、１００、５０、３０または２０である、項目２１６または２２７に記載のシステム。
（項目２２９）
前記ｋ個の移動ユニットの少なくともｊ個のユニットを前記ｃ個のマイクロ流体チャネルの第１のチャネルにｎ回ルーティングするようにさらに構成されている、項目２１６に記載のシステム。
（項目２３０）
ｎが２〜１０００である、項目２２９に記載のシステム。
（項目２３１）
ｎが、少なくとも、２、３、４、５、６、７、８、９、１０、１１、１２、１３、１４、１５、１６、１７、１８、１９、２０、３０、３２、４０、４８、５０、６０、６４、７０、７２、８０、９０、９６、１００、２００、3００、４００、５００、６００、７００、８００、９００または１０００である、項目２２９に記載のシステム。
（項目２３２）
ｎが、多くとも、１００００、１０００、９００、８００、７００、６００、５００、４００、３００、２００、１００、９６、９０、８０、７２、７０、６４、６０、５０、４８、４０、３２、３０、２０、１９、１8、１７、１６、１５、１４、１３、１２、１１、１０、９、８、７、６、５、４、３または２である、項目２２９または２３１に記載のシステム。
（項目２３３）
ｊが２〜５００００００である、項目２２９に記載のシステム。
（項目２３４）
ｊが、少なくとも、２、３、４、５、６、７、８、９、１０、２０、３０、５０、１００、５００、１０００、１００００、５００００、１０００００、５０００００、１００００００または５００００００である、項目２２９に記載のシステム。
（項目２３５）
ｊが、多くとも、５００００００、１００００００、５０００００、１０００００、５００００、１００００、１０００、５００、１００、５０、３０または２０である、項目２２９または２３４に記載のシステム。
（項目２３６）
前記ｋ個の移動ユニットが、ビーズ、液滴、セル、バブル、スラグおよび非混合性容積からなるグループから選択される、項目２１６に記載のシステム。
（項目２３７）
前記ｃ個のルーターが、１つ以上のディストリビュータ、マージャーまたはスペーサを含む、項目２１６に記載のシステム。
（項目２３８）
前記ルーティングパスがルーターの下流にマップされた移動ユニットの位置を含む、項目２１６に記載のシステム。
（項目２３９）
前記ルーティングパスがルーターの上流にマップされた移動ユニットの位置を含む、項目２１６に記載のシステム。
（項目２４０）
移動ユニットの位置がｍ個のマップしている移動ユニットに関して前記ユニットの相対位置順序を含む、項目２３８または２３９に記載のシステム。
（項目２４１）
ｍが１〜１００である、項目２４０に記載のシステム。
（項目２４２）
ｍが、少なくとも、１、２、３、４、５、６、７、８、９、１０、２０、３０、４０、５０または１００である、項目２４０に記載のシステム。
（項目２４３）
ｍが、多くとも、１００、５０、４０、３０、２０、１０、９、８、７、６、５、４、３または２である、項目２４０または２４２に記載のシステム。
（項目２４４）
前記ｍ個のマップしている移動ユニットが、前記マップされた移動ユニットから始まる流体接続されたパスに沿った前記マップされた移動ユニットに最も近いｍ個の移動ユニットを含む、項目２４０、２４１、２４２または２４３に記載のシステム。
（項目２４５）
前記ｒ個のルーターが、前記マイクロ流体デバイスを通して所定のユニットルーティングアルゴリズムに従って移動ユニットをルーティングするように構成されている、項目２１６に記載のシステム。
（項目２４６）
前記コンピュータが、前記ｒ個のルーターの少なくとも１つによるルーティングイベントの後のｋ個の移動ユニットの前記少なくともサブセットに対する第１のポストルーティング順序と、予め指定されたポストルーティング順序との間の比較を実行するように構成されている、項目２１６のシステム。
（項目２４７）
前記コンピュータが、前記比較に基づいて前記ｋ個の移動ユニットの少なくともサブセットのうちのｉ個のためのルーティングパスを生成するように構成されており、前記ｒ個のルーターが、前記ｉ個の移動ユニットのための前記ルーティングパスに従ってｉ個の移動ユニットをルーティングするように構成されている、項目２４６に記載のシステム。
（項目２４８）
ｉが２〜１００００００である、項目２４７に記載のシステム。
（項目２４９）
ｉが、少なくとも、２、３、４、５、６、７、８、９、１０、２０、３０、５０、１００、５００、１０００、１００００、５００００、１０００００、５０００００または１００００００である、項目２４７に記載のシステム。
（項目２５０）
ｉが、多くとも、５００００００、１００００００、５０００００、１０００００、５００００、１００００、１０００、５００、１００、５０、３０または２０である、項目２４７または２４９に記載のシステム。
（項目２５１）
前記ｒ個のルーターが、前記比較に基づいて、前記ｋ個の移動ユニットの少なくともサブセットの残りのものからのｊ個の移動ユニットを補正領域に分離するように構成されている、項目２４６、２４７、２４８、２４９または２５０に記載のシステム。
（項目２５２）
前記ｒ個のルーターが移動ユニットをランダムに前記マイクロ流体デバイスを通してルーティングするように構成されている、項目２１６に記載のシステム。
（項目２５３）
トラッキングの方法であって、
ａ．  第１のマイクロ流体チャネルおよび前記第１のマイクロ流体チャネルと流体接続している第２のマイクロ流体チャネルを含む、マイクロ流体デバイスを提供することと、
ｂ．  ｋ個の移動ユニットを、順序付けされたフローで前記第１のマイクロ流体チャネルを通して前記第２のマイクロ流体チャネルにルーティングすることと
を含む方法。
（項目２５４）
前記第１のマイクロ流体チャネルおよび前記第２のマイクロ流体チャネルが同一である、項目２５３に記載の方法。
（項目２５５）
前記第１のマイクロ流体チャネルおよび前記第２のマイクロ流体チャネルが、接合管、ユニットスペーサ、ディストリビュータまたはマージャーによって接続されている、項目２５３に記載の方法。
（項目２５６）
前記マイクロ流体デバイスが第３のマイクロ流体チャネルをさらに含み、前記方法が、前記ｋ個の移動ユニットを、順序付けされたフローで、前記第２のマイクロ流体チャネルを通して前記第３のマイクロ流体チャネルへルーティングすることをさらに含む、項目２５３または２５４に記載の方法。
（項目２５７）
前記第２のマイクロ流体チャネルおよび前記第３のマイクロ流体チャネルが同一である、項目２５６に記載の方法。
（項目２５８）
前記第１のマイクロ流体チャネルおよび前記第３のマイクロ流体チャネルが同一である、項目２５６に記載の方法。
（項目２５９）
前記第２のマイクロ流体チャネルおよび前記第３のマイクロ流体チャネルが、接合管、ユニットスペーサ、ディストリビュータまたはマージャーによって接続されている、項目２５６に記載の方法。
（項目２６０）
前記第１のマイクロ流体チャネルの幅が、前記マイクロ流体チャネルの外側で測定される前記ｋ個の移動ユニットの平均直径の、０．０１〜２倍である、項目２５３または２５６に記載の方法。
（項目２６１）
前記第１のマイクロ流体チャネルの幅が、前記マイクロ流体チャネルの外側で測定される前記ｋ個の移動ユニットの平均直径の、２、１．９、１．８、１．７、１．６、１．５、１．４、１．３、１．２、１．１、１、０．９、０．８、０．７、０．６５、０．６、０．５５、０．５、０．４、０．３、０．２、０．１、０．０５または０．０１倍未満である、項目２５３または２５６に記載の方法。
（項目２６２）
前記第１のマイクロ流体チャネルの幅が、前記マイクロ流体チャネルの外側で測定される前記ｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９または２倍より大きい、項目２５３、２５６または２６１に記載の方法。
（項目２６３）
前記第２のマイクロ流体チャネルの幅が、前記ユニットの平均直径の１．０５〜１００倍である、項目２５３または２５６に記載の方法。
（項目２６４）
前記第２のマイクロ流体チャネルの幅が、前記ユニットの平均直径の、１．０５、１．１、１．２、１．３、１．４、１．５、１．６、１．７、１．８、１．９、２、２．５、３、４、５、６、７、８、９、１０、２０、３０、４０、５０、６０、７０、８０、９０または１００倍より大きい、項目２５３または２５６に記載の方法。
（項目２６５）
前記第２のマイクロ流体チャネルの幅が、前記ユニットの平均直径の、１０００、１００、９０、８０、７０、６０、５０、４０、３０、２０、１０、９、８、７、６、５、４、３、２、１．９、１．８、１．７、１．６、１．５、１．４、１．３、１．２、１．１または１．０５倍より小さい、項目２５３、２５６または２６４に記載の方法。
（項目２６６）
前記第３のマイクロ流体チャネルの幅が、前記マイクロ流体チャネルの外側で測定される前記ｋ個の移動ユニットの平均直径の０．０１〜２倍である、項目２５６に記載の方法。
（項目２６７）
前記第３のマイクロ流体チャネルの幅が、前記マイクロ流体チャネルの外側で測定される前記ｋ個の移動ユニットの平均直径の、２、１．９、１．８、１．７、１．６、１．５、１．４、１．３、１．２、１．１、１、０．９、０．８、０．７、０．６５、０．６、０．５５、０．５、０．４、０．３、０．２、０．１、０．０５または０．０１倍より小さい、項目２５６に記載の方法。
（項目２６８）
前記第３のマイクロ流体チャネルの幅が、前記マイクロ流体チャネルの外側で測定される前記ｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９または２倍より大きい、項目２５６または２６７に記載の方法。
（項目２６９）
前記第１のマイクロ流体チャネルの幅が、前記ユニットの平均直径の１．０５〜１００倍である、項目２５３または２５６に記載の方法。
（項目２７０）
前記第１のマイクロ流体チャネルの幅が、前記ユニットの平均直径の、１．０５、１．１、１．２、１．３、１．４、１．５、１．６、１．７、１．８、１．９、２、２．５、３、４、５、６、７、８、９、１０、２０、３０、４０、５０、６０、７０、８０、９０または１００倍より大きい、項目２５３または２５６に記載の方法。
（項目２７１）
前記第１のマイクロ流体チャネルの幅が、前記ユニットの平均直径の、１０００、１００、９０、８０、７０、６０、５０、４０、３０、２０、１０、９、８、７、６、５、４、３、２、１．９、１．８、１．７、１．６、１．５、１．４、１．３、１．２、１．１または１．０５倍より小さい、項目２５３、２５６または２７０に記載の方法。
（項目２７２）
前記第２のマイクロ流体チャネルの幅が、前記マイクロ流体チャネルの外側で測定される前記ｋ個の移動ユニットの平均直径の０．０１〜２倍である、項目２５３または２５６に記載の方法。
（項目２７３）
前記第２のマイクロ流体チャネルの幅が、前記マイクロ流体チャネルの外側で測定される前記ｋ個の移動ユニットの平均直径の、２、１．９、１．８、１．７、１．６、１．５、１．４、１．３、１．２、１．１、１、０．９、０．８、０．７、０．６５、０．６、０．５５、０．５、０．４、０．３、０．２、０．１、０．０５または０．０１倍より小さい、項目２５３または２５６に記載の方法。
（項目２７４）
前記第２のマイクロ流体チャネルの幅が、前記マイクロ流体チャネルの外側で測定される前記ｋ個の移動ユニットの平均直径の、０．０１、０．０５、０．１、０．２、０．３、０．４、０．５、０．５５、０．６、０．６５、０．７、０．８、０．９、１、１．１、１．２、１．３、１．４、１．５、１．６、１．７、１．８、１．９または２倍より大きい、項目２５３、２５６または２７３に記載の方法。
（項目２７５）
前記第３のマイクロ流体チャネルの幅が、前記ユニットの平均直径の１．０５〜１００倍である、項目２５６に記載の方法。
（項目２７６）
前記第３のマイクロ流体チャネルの幅が、前記ユニットの平均直径の、１．０５、１．１、１．２、１．３、１．４、１．５、１．６、１．７、１．８、１．９、２、２．５、３、４、５、６、７、８、９、１０、２０、３０、４０、５０、６０、７０、８０、９０または１００倍より大きい、項目２５６に記載の方法。
（項目２７７）
前記第３のマイクロ流体チャネルの幅が、前記ユニットの平均直径の、１０００、１００、９０、８０、７０、６０、５０、４０、３０、２０、１０、９、８、７、６、５、４、３、２、１．９、１．８、１．７、１．６、１．５、１．４、１．３、１．２、１．１または１．０５倍より小さい、項目２５６または２７６に記載の方法。